(57)【要約】【課題】利用者が、容易に検査乃至治療を受けるべきかを判断することが可能となる感染症予防システム提供する。【解決手段】患者が接触した者の携帯電話の番号と接触日時と接触者のメールアドレスとを格納する患者データベース１３備えるセンタサーバ１０と；前記センタサーバと通信回線を介して接続された利用者端末と；を備え、センタサーバ１０が、検査結果が陽性である場合に接触した者のメールアドレスに警告メールを送信する。【選択図】図１
2009217649.tif 000002
【特許請求の範囲】
【請求項１】
患者の識別子と、前記患者が接触した者の識別子と接触日とを格納する患者データベースを備えるセンタサーバと、前記センタサーバと通信回線を介して接続された利用者端末と、を備える感染症予防システムであって、
前記センタサーバが、
前記利用者端末から接触した者の識別子と接触日とを含む接触情報の入力を受けたとき、前記患者データベースに前記接触情報を格納する、
ことを特徴とする感染症予防システム。
【請求項２】
前記患者データベースが、
接触者の属性、病院名、病名、検査日、検査結果、診察結果のうち一つ以上を更に格納し、
前記患者の識別子がメールアドレスであり、
前記センタサーバが、
前記利用者端末からメールを受信したとき、
前記空メールから送信者のメールアドレスを読みだし、
前記送信者のメールアドレスを患者の識別子とし、前記患者が接触した者の携帯電話の番号をダミーデータとし、前記接触日を前記からメールの受信日時として、前記患者データベースに書き込む、
ことを特徴とする請求項１記載の感染症予防システム。
【請求項３】
前記患者データベースが、
接触者のメールアドレスを更に格納し、
前記センタサーバが、
前記検査結果が陽性である場合に接触した者のメールアドレスに警告メール又は安心メールを送信することを特徴とする請求項２記載の感染症予防システム。
【請求項４】
前記患者データベースが、
接触する可能性のある者のリストを更に格納し、
前記センタサーバが、
前記利用者端末から前記リストから選択された接触した者の識別子と接触日とを含む接触情報の入力を受けたとき、前記患者データベースに前記接触情報を格納する、
ことを特徴とする請求項１記載の感染症予防システム。
【請求項５】
前記患者データベースが、
前記利用者端末から公開指示を受信したとき、前記リストを公開許可し、
前記利用者端末から送信指示を受信したとき、前記リストを特定の前記利用者端末に公開許可することを特徴とする請求項２記載の感染症予防システム。
【発明の詳細な説明】
【技術分野】
【０００１】
本発明は、患者との接触によって感染する疾患の予防に供するシステムに関する。
【背景技術】
【０００２】
近年、強力な感染力を有する感染症の流行が報告されている。これらの感染症には、エイズ（ＡＩＤＳ：後天性免疫不全症候群）、サーズ（ＳＡＲＳ：重症急性呼吸器症候群）、エボラ出血熱などが含まれる。
【０００３】
この様な感染症は、感染経路を早期に特定し、拡大感染の予防のための方策を取らなければ重大な被害をもたらす。しかし、感染症が発症してから患者が隔離されるまでに、患者は転々と移動するため、患者と接触した可能性のある者を特定することはきわめて困難であった。
【０００４】
この点に関し、インターネットを介して医療情報を公開するシステムが提案されている（例えば特許文献１）。
【０００５】
しかし、特許文献１に記載の技術においては、問い合わせを行う者がどのような感染症をもった患者と接触していたかを特定することは困難であるという問題点があった。
【特許文献１】特開２００７−２００１０７号公報
【発明の開示】
【発明が解決しようとする課題】
【０００６】
本発明は上記のような問題点に鑑みてなされたものであり、利用者が容易に検査乃至治療を受けるべきかを判断することが可能となる感染症予防システムを提供することを目的とする。
【課題を解決するための手段】
【０００７】
この目的を達成するために、本発明は患者の識別子と、患者が接触した者の識別子と接触日とを格納する患者データベースを備えるセンタサーバと、センタサーバと通信回線を介して接続された利用者端末と、を備える感染症予防システムであって、  センタサーバが、利用者端末から接触した者の携帯電話番号と接触日とを含む接触情報の入力を受けたとき、患者データベースに接触情報を格納する、ことを特徴とする感染症予防システムを提供する。
【発明の効果】
【０００８】
本発明の感染症予防システムによれば、利用者が自ら接触した可能性のある感染症名と感染源となった相手を特定することが可能となるという効果がある。利用者は感染者と接触した場合も、警告メールによって知ることができるという効果がある。
【０００９】
利用者同士であれば、これから接触しようとする相手が感染者か否かを、事前に知ることまで現実となる。利用者は、相手の許可を得た上で、他の利用者に自分からの検索を許可設定にしてもらうことにより、相手の現在の状態を知ることが出来るという効果がある。
【００１０】
さらに、接触しようとする者から感染する可能性があるか否かを警告メールによって知ることができるという効果がある。
【発明を実施するための最良の形態】
【００１１】
本発明の感染症予防システムの一実施形態を、図面を用いて説明する。
【００１２】
図１は本実施形態の感染症予防システムの構成を表す概要図である。図１に示すように、本実施形態の感染症予防システムは、ＣＰＵ１１と、メモリ１２と、患者が接触した者の識別子である携帯電話の番号と接触日時を格納する患者データベース１３と、を備えるセンタサーバ１０と；前記センタサーバと通信回線２０を介して接続された利用者端末３０,４０と；を備える。
【００１３】
図２は患者データベース（以下、データベースをＤＢと呼ぶ。）１３の構造を表す図である。図２に示すように、患者ＤＢ１３は、例えば識別テーブル２０１と接触テーブル２０２とを備える。識別テーブル２０１は患者に固有に割り当てられた患者の識別子と、患者の病名と、患者の病状を段階分けした重篤度、とを格納する。接触テーブル２０２は、接触した者の携帯電話の番号と接触日とを格納する。
【００１４】
患者ＤＢ１３は接触者の属性、病院名、病名、検査日、検査結果、診察結果、接触者のメールアドレスのうち一つ以上を更に格納していてもよい。
【００１５】
センタサーバ１０は、利用者端末３０,４０から接触した者の携帯電話番号と接触日とを含む接触情報の入力を受けたとき、患者ＤＢ１３にこの接触情報を格納する。
【００１６】
センタサーバ１０は、利用者端末３０,４０から空メールを受信したとき、空メールから送信者のメールアドレスを読みだし、送信者のメールアドレスを患者の識別子とし、患者が接触した者の携帯電話の番号をダミーデータとし、接触日時を空メールの受信日時として、前記患者ＤＢ１３に書き込む。
【００１７】
センタサーバ１０は、利用者端末３０,４０から接触を報告する報告メールを受信したとき、この報告メールから送信者のメールアドレスを読みだし、送信者のメールアドレスを患者の識別子とし、患者が接触した者の携帯電話の番号を読み出し、接触日を読み出して、患者ＤＢ１３に書き込む。
【００１８】
センタサーバ１０は、検査結果が陽性である場合に接触した者のメールアドレスに警告メールを送信する。また、センタサーバ１０は、検査結果が陰性である場合に接触した者のメールアドレスに安心メールを送信する。
【００１９】
利用者端末３０,４０はセンタサーバ１０を介して患者ＤＢ１３の更新をすることが可能であり、センタサーバ１０から自己に関して格納されている情報をダウンロードすることが可能である。
【００２０】
このように患者ＤＢ１３に書き込まれた情報は、利用者本人及び管理者又は利用者本人の許可を得た者が閲覧できる。これにより、利用者の自己管理が促進される。
【００２１】
利用者端末３０,４０はダウンロードしたデータを第三者の利用者端末３０,４０を送受信することも可能である。すなわち、利用者端末が携帯電話の場合には赤外線通信機能により、また利用者端末がパソコンの場合にはメールやファイル転送機能により送受信することが可能となる。
【００２２】
図３は、警告メール及び安心メールの送信に関するフローチャートである。図３に示すように、ステップＳ４０１において、センタサーバ１０は利用者端末３０,４０からメール指示を入力する。
【００２３】
ステップＳ４０２において、センタサーバ１０は患者ＤＢ１３を識別子をキーに検索し、検査結果を読みだす。
【００２４】
ステップＳ４０３において、センタサーバ１０は検査結果が陽性か判定する。陽性であった場合はステップＳ４０４に進み、陽性でなかった場合はステップＳ４０６に進む。
【００２５】
ステップＳ４０４において、センタサーバ１０は患者ＤＢ１３を識別子について検索し接触した者のメールアドレスを読みだす。
【００２６】
ステップＳ４０５において、センタサーバ１０は読みだしたメールアドレスに、警告メールを送信し、処理を終了する。
【００２７】
警告メールには患者との接触日時と感染症名および警告文が記載されている。そのほか、検査機関のリンクを記載してもよい。
【００２８】
ステップＳ４０６において、センタサーバ１０は検査結果が陰性か判定する。陰性であった場合はステップＳ４０７に進み、陰性でなかった場合は処理を終了する。
【００２９】
ステップＳ４０７において、センタサーバ１０は患者ＤＢ１３を識別子について検索し接触した者のメールアドレスを読みだす。
【００３０】
ステップＳ４０８において、センタサーバ１０は読みだしたメールアドレスに、安心してよい旨が記載されている安心メールを送信し、処理を終了する。
【００３１】
また、本実施形態の感染症予防システムは、患者ＤＢ１３が、接触する可能性のある者のリストを更に格納し、センタサーバ１０が、利用者端末３０,４０から前記リストから選択された接触した者の識別子と接触日時とを含む接触情報の入力を受けたとき、患者ＤＢ１３に接触情報を格納するように構成することができる。
【００３２】
すなわち、家族や友人や勤め先の人など、接触する可能性と頻度が高いものをリストとして格納することにより、入力の手間を省くことができる。さらに、このリストに格納されている者を、接触頻度などによりランク付けして格納することも可能である。
【００３３】
このリストに事前に登録しておくことで相手の個人名の入力せずに、空メール又は１クリックにより接触した者と接触日時を患者ＤＢ１３に格納するように構成することができる。このため、利用者の入力作業を僅か一動作によって完結させることが出来る。
【００３４】
また、本実施形態の感染症予防システムは、患者ＤＢ１３が利用者端末３０,４０から送信指示を受信したとき、リストを特定の利用者端末３０,４０に公開許可するように構成することもできる。
【００３５】
このように構成することにより、感染力の強い感染症が確認されたとき、緊急手粋な対処としてリストに挙がっている者に警告を送ることが可能となる。
【００３６】
公開の方法は、リストをＷＥＢサーバにアップロードしてインターネットによって公開する方法をとることができる。
【００３７】
以上述べたように、本実施形態の感染症予防システムは、患者が接触した者の携帯電話の番号と接触日時と接触者のメールアドレスとを格納する患者ＤＢ１３備えるセンタサーバ１０と；前記センタサーバと通信回線を介して接続された利用者端末と；を備え、センタサーバ１０が、検査結果が陽性である場合に接触した者のメールアドレスに警告メールを送信する。このため、利用者が容易に検査乃至治療を受けるべきかを判断することが可能となるという効果がある。
【００３８】
なお、本発明の実施形態は上記に限られるものではない。発明の趣旨を変えない範囲で種々の変更を加えて実施することができる。例えば上記の実施例から構成要素をはずしたり新たに構成要素を追加したりすることができる。
【産業上の利用可能性】
【００３９】
本発明の感染症予防システムはインフルエンザ等の軽度の感染症にも利用することができる。
【図面の簡単な説明】
【００４０】
【図１】本実施形態の感染症予防システムの構成を表す概要図である。
【図２】患者ＤＢ１３の構造を表す図である。
【図３】警告メール及び安心メールの送信に関するフローチャートである。
【符号の説明】
【００４１】
１０：センタサーバ、
１１：ＣＰＵ、
１２：メモリ、
１３：患者ＤＢ、
２０：通信回線、
３０,４０：利用者端末、
２０１：識別テーブル、
２０２：接触テーブル。
【図１】
2009217649.tif 000003
【図２】
2009217649.tif 000004
【図３】
2009217649.tif 000005